(57)【要約】  第１セル８を形成する第１の基地局装置３は、移動局装置５と第１の基地局装置８との間の制御チャネルのために無線リソースを割り当てる割当部１４と、制御チャネルのために割り当てた無線リソースを示す無線リソース情報を、第１セル８とは異なる第２セル９を形成する第２の基地局装置４へ送信する第１送信部１５を備える。
2012066669.tif 000002
【特許請求の範囲】
【請求項１】
第１セルを形成する第１の基地局装置であって、
移動局装置と前記第１の基地局装置との間の制御チャネルのために無線リソースを割り当てる割当部と、
前記制御チャネルのために割り当てた無線リソースを示す無線リソース情報を、前記第１セルとは異なる第２セルを形成する第２の基地局装置へ送信する第１送信部と、
を備える第１の基地局装置。
【請求項２】
前記第２セルは、前記第１セルと隣接するセル、又は、前記第１セルとその通信エリアの少なくとも一部を共有するセルである、請求項１に記載の基地局装置。
【請求項３】
前記第２の基地局装置へ与える干渉が第１条件を満たす移動局装置を検出する検出部を備え、
前記第１送信部は、検出された前記移動局装置との間の制御チャネルのために割り当てられた無線リソースを示す無線リソース情報を前記第２の基地局装置へ送信する、請求項１に記載の基地局装置。
【請求項４】
前記割当部は、前記移動局装置との間の制御チャネルのために割り当てられた無線リソースを、指定された割り当て可能範囲の一部に制限する請求項１〜３のいずれか一項に記載の基地局装置。
【請求項５】
前記第１送信部は、前記無線リソース情報が示す無線リソースが割り当てられた前記移動局装置の識別子を、前記第２の基地局装置へ送信する請求項１〜４のいずれか一項に記載の基地局装置。
【請求項６】
第２セルを形成する第２の基地局装置であって、
前記第２セルとは異なる第１セルを形成する第１の基地局装置から無線リソース情報を受信する第１受信部と、
前記無線リソース情報が示す無線リソースが割り当てられた制御チャネルを介して前記第１の基地局装置から移動局装置へ送信される制御情報を受信する第２受信部と、
を備える第２の基地局装置。
【請求項７】
移動局装置への無線信号を送信する第２送信部と、
前記無線リソース情報が示す無線リソースにおける前記第２送信部による無線信号の送信を停止する停止部と、
をさらに備えることを特徴とする請求項６に記載の基地局装置。
【請求項８】
前記制御情報に基づいて前記移動局装置から送信される無線信号成分を抑圧する抑圧部を備える請求項６又は７に記載の基地局装置。
【請求項９】
前記制御情報に基づいて前記移動局装置と前記第２の基地局装置との間の伝送路のチャネル推定を行うチャネル推定部をさらに備え、
前記抑圧部は、前記チャネル推定に基づき前記無線信号成分を抑圧する請求項８に記載の基地局装置。
【請求項１０】
前記制御情報は、前記移動局装置の上りリンク信号の送信に割り当てられる無線リソースを指定し、
前記第２の基地局装置は、
前記第２の基地局装置と通信を行う移動局装置のうち第２条件を満たすものに、前記制御情報が指定する無線リソースを割り当てるスケジューラを備える請求項６〜９のいずれか一項に記載の基地局装置。
【請求項１１】
前記制御情報は、前記移動局装置の上りリンク信号の送信に割り当てられる無線リソースを指定し、
前記第２の基地局装置は、
前記制御信号が指定する無線リソースにおける通信品質を予測する予測部と、
予測された通信品質に応じて、前記制御信号が指定する無線リソースにおける適応変調符号化を制御する適応変調符号化部と、
を備える請求項６〜９のいずれか一項に記載の基地局装置。
【請求項１２】
第１セルを形成する第１の基地局装置と、前記第１セルとは異なる第２セルを形成する第２の基地局装置とを有する通信システムであって、
前記第１の基地局装置は、
移動局装置と前記第１の基地局装置との間の制御チャネルのために無線リソースを割り当てる割当部と、
前記制御チャネルのために割り当てた無線リソースを示す無線リソース情報を第２の基地局装置へ送信する第１送信部と、を備え、
前記第２の基地局装置は、
前記無線リソース情報を受信する第１受信部と、
前記無線リソース情報が示す無線リソースが割り当てられた制御チャネルを介して前記第１の基地局装置から前記移動局装置へ送信される制御情報を受信する第２受信部と、を備えることを特徴とする通信システム。
【請求項１３】
第１セルを形成する第１の基地局装置において使用される通信方法であって、
移動局装置と前記第１の基地局装置との間の制御チャネルのために無線リソースを割り当て、
前記制御チャネルのために割り当てた無線リソースを示す無線リソース情報を、前記第１セルとは異なる第２セルを形成する第２の基地局装置へ送信する、
ことを特徴とする通信方法。
【請求項１４】
第２セルを形成する第２の基地局装置において使用される通信方法であって、
前記第２セルとは異なる第１セルを形成する第１の基地局装置から無線リソース情報を受信し、
前記無線リソース情報が示す無線リソースが割り当てられた制御チャネルを介して前記第１の基地局装置から移動局装置へ送信される制御情報を受信する、
ことを特徴とする通信方法。
【請求項１５】
第１セルを形成する第１の基地局装置と、前記第１セルとは異なる第２セルを形成する第２の基地局装置とを有する通信システムにおいて使用される通信方法であって、
移動局装置と前記第１の基地局装置との間の制御チャネルのために無線リソースを割り当て、
前記制御チャネルのために割り当てた無線リソースを示す無線リソース情報を、前記第１の基地局装置から前記第２の基地局装置へ送信し、
前記無線リソース情報が示す無線リソースが割り当てられた制御チャネルを介して前記第１の基地局装置から移動局装置へ送信される制御情報を、前記第２の基地局装置において受信する、
ことを特徴とする通信方法。
【発明の詳細な説明】
【技術分野】
【０００１】
本明細書で論じられる実施態様は、無線アクセスネットワークに使用される基地局装置に関する。
【背景技術】
【０００２】
移動体通信システムに設けられる無線アクセスネットワークは、ユーザが使用する移動局装置と、移動局装置と無線インタフェースを介して接続し地上側の通信ネットワークへ接続する基地局装置を備える。基地局装置は、セルと呼ばれるカバーエリアをそれぞれ形成し、カバー対象のセル内に位置する移動局装置との間で無線リンクを確立する。基地局装置は、セル内の移動局装置が送信する上りリンクの無線信号を受信して、移動局装置から送信されるユーザデータを地上側ネットワークへ転送する。【０００３】
なお、従来技術として他の基地局からの下り信号の干渉による受信品質劣化を抑制する無線基地局が提案されている。この基地局装置は、端末装置から送信される制御信号を受信するために必要な参照情報を保持する参照情報保持部と、自局に接続されている端末装置が下り信号の受信状態を自局に通知する第１の上り制御信号を受信し、受信した第１の上り制御信号の内容に基づいて、電力制御部に対する電力の制御を要求する第１の制御信号受信部と、隣接する基地局に接続している端末装置が下り信号の受信状態を隣接する基地局に通知する第２の上り制御信号を受信し、参照情報保持部によって保持される参照情報を参照し、受信した第２の上り制御信号の内容に基づいて、電力制御部に対する電力制御を要求する第２の制御信号受信部を備える。下り信号の送信電力は、第１及び第２の制御信号受信部からの電力制御の要求に基づいて制御される。
【先行技術文献】
【特許文献】
【０００４】
【特許文献１】特開２００９−３０２６１４
【発明の概要】
【発明が解決しようとする課題】
【０００５】
無線アクセスネットワークに、第１基地局装置により形成される第１セルと第２基地局装置により形成される第２セルが存在し、第１セルと第２セルとが隣接している場合を考える。第１セル内に位置する移動局装置が第１基地局装置と接続され、この移動局装置と第１基地局装置との間で通信が行われている間に、この移動局装置から送信される上りリンクの無線信号が第２基地局装置に到来する場合がある。このような隣接セルの移動局装置から到来する無線信号は干渉信号となり、第２移動局装置における上りリンクの受信特性を劣化させる。しかし、第２の基地局では第１セル内に位置する移動局装置の送信形態が未知であるため、干渉を低減することが困難である。【０００６】
実施態様に係る装置及び方法は、隣接セル内の移動局装置からの送信信号による干渉の影響を防止又は低減することを目的とする。
【課題を解決するための手段】
【０００７】
実施態様の一例によれば、第１セルを形成する第１の基地局装置が与えられる。第１の基地局装置は、移動局装置と第１の基地局装置との間の制御チャネルのために無線リソースを割り当てる割当部と、制御チャネルのために割り当てた無線リソースを示す無線リソース情報を、第１セルとは異なる第２セルを形成する第２の基地局装置へ送信する第１送信部と、を備える。【０００８】
実施態様の他の例によれば、第２セルを形成する第２の基地局装置が与えられる。第２の基地局装置は、第２セルとは異なる第１セルを形成する第１の基地局装置から無線リソース情報を受信する第１受信部と、無線リソース情報が示す無線リソースが割り当てられた制御チャネルを介して第１の基地局装置から移動局装置へ送信される制御情報を受信する第２受信部と、を備える。
【発明の効果】
【０００９】
上記実施態様によれば、隣接セル内の移動局装置からの送信信号による干渉の影響を防止又は低減される。【００１０】
本発明の目的及び利点は、特に特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１１】
【図１】通信システムの全体構成図である。
【図２】第１基地局装置の第１例を示す構成図である。
【図３】第２基地局装置の第１例を示す構成図である。
【図４】第１基地局装置及び第２基地局装置における処理の第１例の説明図である。
【図５】第１基地局装置の第２例を示す構成図である。
【図６】第２基地局装置の第２例を示す構成図である。
【図７】第１基地局装置及び第２基地局装置における処理の第２例の説明図である。
【図８】各基地局装置から送信される送信信号内の制御チャネルの配置の第１例を示す図である。
【図９】各基地局装置から送信される送信信号内の制御チャネルの配置の第２例を示す図である。
【図１０】各基地局装置から送信される送信信号内の制御チャネルの配置の第３例を示す図である。
【図１１】第２基地局装置の第３例を示す構成図である。
【図１２】図１１に示す抑圧部の第１例を示す構成図である。
【図１３】図１１に示す抑圧部の第２例を示す構成図である。
【図１４】第１基地局装置及び第２基地局装置における処理の第３例の説明図である。
【図１５】第２基地局装置の第４例を示す構成図である。
【図１６】第１基地局装置及び第２基地局装置における処理の第４例の説明図である。
【図１７】第２基地局装置の第５例を示す構成図である。
【図１８】第１基地局装置及び第２基地局装置における処理の第５例の説明図である。
【発明を実施するための形態】
【００１２】
以下、添付される図面を参照して、好ましい実施例について説明する。図１は、通信システムの全体構成図である。通信システム１は、通信ネットワーク２と、第１基地局装置３と、第２基地局装置４と、移動局装置としてのユーザ装置（ＵＥ：User Equipment）５を備える。
【００１３】
第１基地局装置３及び第２基地局装置４は、有線ネットワークである通信ネットワーク２とユーザ装置５との間のデータの送信のために、ユーザ装置５との間で無線通信を行う。第１基地局装置３及び第２基地局装置４は、それぞれ第１セル８及び第２セル９を形成する。また、通信システム１は、第１基地局装置３及び第２基地局装置４をそれぞれ通信システム１へ接続するノード装置６を備えていてよい。
【００１４】
ある実施例では、通信システム１は、３ＧＰＰ（Third Generation Partnership Project）−ＬＴＥ（Long Term Evolution）に準拠する通信システムであってよい。この場合にノード装置６は、例えばＳ−ＧＷ（Serving-Gateway）であってよい。なお、本明細書に記載される通信システムの実施例は、ＬＴＥに規定される通信システムに限定的に適用されるものではなく、他の様々な形式の移動体通信システムに適用可能である。
【００１５】
通信システム１は、第１基地局装置３及び第２基地局装置４との間の通信を可能にする基地局間通信インタフェースを備えてよい。この基地局間通信インタフェースは、第１基地局装置３と第２基地局装置４との間で直接通信が行われるインタフェースでもよく、また通信システム１内の他のネットワーク要素を経由して通信が行われるインタフェースでもよい。例えばＬＴＥの例では、基地局間通信インタフェースはＸ２インタフェースでもよい。
【００１６】
以下、本明細書では第１セル８及び第２セル９は相互に隣接するセルである場合について説明する。また、ユーザ装置５は、第１セル８内に位置しており、第１基地局装置３との間で無線リンクが確立されることにより第１基地局装置３との間で通信が行う場合について説明する。
【００１７】
図２は、第１基地局装置３の第１例を示す構成図である。第１基地局装置３は、アンテナ１０と、無線送信部１１と、スケジューラ１２と、制御信号生成部１３と、割当部１４と、第１送信部１５を備える。なお、図２及び第１基地局装置３の他の構成例を示す他の図面は、第１基地局装置３の構成要素のうち、本実施例の説明に関係する構成要素を中心として示している。
【００１８】
無線送信部１１は、アンテナ１０を介して、制御信号生成部１３が生成する所定の制御信号をユーザ装置５へ送信する。スケジューラ１２は、ユーザ装置５が上りリンク信号を送信するチャネル及び、第１基地局装置３がユーザ装置５へ下りリンク信号を送信するチャネルへ無線リソースを割り当てる。無線送信部１１は、スケジューラ１２が決定した無線リソースの割当にしたがって、ユーザ装置５へ無線信号を送信する。
【００１９】
制御信号生成部１３は、ユーザ装置５による上りリンク信号の送信を制御するための所定の制御信号を生成する。例えばある実施例において所定の制御信号は、ユーザ装置５が上りリンク信号を送信するために割り当てられた無線リソースを示す信号を含んでいてよい。
【００２０】
また、ある実施例において所定の制御信号は、ユーザ装置５から基地局装置へ信号が送信される伝送路のチャネル推定を行うためのパラメータを含んでいてよい。また、例えばＬＴＥの例では、所定の制御信号は、ＰＤＣＣＨ（Physical Downlink Control Channel）によって送信される制御信号であってよい。
【００２１】
割当部１４は、ユーザ装置５について制御信号生成部１３が生成した所定の制御信号を送信するチャネルに無線リソースを割り当てる。無線送信部１１は、制御信号生成部１３が生成した所定の制御信号を、割当部１４が割り当てた無線リソース上の特定の位置で送信する。
【００２２】
なお、割当部１４によって割り当てられる無線リソースの範囲は、ユーザ装置５への所定の制御信号を伝送するために使用される無線リソース（無線送信部１１で決定される）を含むことができるように決定されれば足りる。すなわち、割当部１４によって割り当てられる無線リソース量は、ユーザ装置５への所定の制御信号を伝送するために使用される無線リソース量よりも多くてよい。
【００２３】
例えばある実施例では、ユーザ装置５への所定の制御信号は、割当部１４によって割り当てられた無線リソースにおいて他のユーザ装置への制御情報とともに送信される。無線送信部１１は、ユーザ装置の識別子を用いた所定の規則に従って、割当部１４によって割り当てられた無線リソース内に各ユーザ装置への制御情報を多重してよい。
【００２４】
例えば、制御情報の多重化は、ユーザ装置毎に異なるサブフレーム内で使用する無線リソース（サブキャリアおよびＯＦＤＭシンボル）を利用することによって実施してよい。各ユーザ装置は識別子により決定される複数の無線リソースパターンについて、復調および復号の受信処理を行い、識別子によってマスクされたＣＲＣのチェックを行うことにより、自分宛の制御情報を認識することが出来る、としてよい。
【００２５】
第１送信部１５は、割当部１４により割り当てられた無線リソースを示す無線リソース情報を、基地局間通信インタフェースを経由して第２基地局装置４へ送信する。ある実施例において第１送信部１５は、割当部１４によって無線リソースが割り当てられた所定の制御信号によって制御されるユーザ装置５の識別子を、基地局間通信インタフェースを経由して第２基地局装置４へ送信してよい。例えばＬＴＥの例では、識別子はＣ−ＲＮＴＩ（Cell Radio Network Temporary Identifier）であってよい。
【００２６】
図３は、第２基地局装置４の第１例を示す構成図である。第２基地局装置４は、アンテナ２０と、第１受信部２１と、第２受信部２２と、制御信号検出部２３を備える。なお、図３及び第２基地局装置４の他の構成例を示す他の図面は、第２基地局装置４の構成要素のうち、本実施例の説明に関係する構成要素を中心として示している。
【００２７】
第１受信部２１は、基地局間通信インタフェースを経由して第１基地局装置３から送信された無線リソース情報を受信する。第１基地局装置３がユーザ装置識別子を送信する実施例の場合には、第１受信部２１は基地局間通信インタフェースを経由してユーザ装置識別子を受信してよい。
【００２８】
第２受信部２２は、アンテナ２０を介して、第２セル９内に位置するユーザ装置から送信される上りリンク信号を受信する。アンテナ２０には、第１基地局装置３からユーザ装置５へ送信される無線信号及びユーザ装置５から第１基地局装置３へ送信される無線信号も到来する。第２受信部２２は、第１基地局装置３からユーザ装置５へ送信される無線信号を受信する。
【００２９】
制御信号検出部２３は、第２受信部２２により受信された受信信号のうち、第１受信部２１が受信した無線リソース情報が示す無線リソース上で伝送された所定の制御情報を検出する。
【００３０】
ある実施例では、無線リソース情報が示す無線リソースの範囲が、ユーザ装置５への所定の制御信号が伝送される無線リソースと、他のユーザ装置への制御情報が伝送される無線リソースを含むことがある。このとき制御信号検出部２３は、第１基地局装置３から受信したユーザ装置５の識別子を用いて、無線リソース情報が示す無線リソース内に多重化されたユーザ装置５への所定の制御信号を他の制御信号から分離する。例えばＬＴＥの場合には、制御信号検出部２３は、Ｃ−ＲＮＴＩを用いることにより、無線リソース情報が示す無線リソースの範囲からユーザ装置５のためのＰＤＣＣＨを検出する。
【００３１】
図４は、第１基地局装置３及び第２基地局装置４における処理の第１例の説明図である。なお、他の実施態様においては、下記のオペレーションＡＡ〜ＡＣの各オペレーションはステップであってもよい。
【００３２】
オペレーションＡＡにおいて第１基地局装置３の割当部１４は、ユーザ装置５による上りリンク信号の送信を制御するための所定の制御信号を送信するチャネルに割り当てる無線リソースを決定する。
【００３３】
オペレーションＡＢにおいて第１基地局装置３の第１送信部１５は、割当部１４により割り当てられた無線リソースを示す無線リソース情報を、基地局間通信インタフェースを経由して第２基地局装置４へ送信する。第２基地局装置４の第１受信部２１は、第１基地局装置３から送信された無線リソース情報を受信する。
【００３４】
オペレーションＡＣにおいて第１基地局装置３の無線送信部１１は、制御信号生成部１３が生成した所定の制御信号を、割当部１４が割り当てた無線リソース上の特定の位置で送信する。第２基地局装置４の第２受信部２２は、第１基地局装置３から送信される無線信号を受信する。制御信号検出部２３は、第２受信部２２により受信された受信信号のうち、第１受信部２１が受信した無線リソース情報が示す無線リソース上で伝送された所定の制御情報を検出する。
【００３５】
本実施例によれば、第２基地局装置４は、隣接セル８の第１基地局装置３から送信されるユーザ装置５の制御信号を取得することが可能となる。このため本実施例は、第２基地局装置４が、取得した制御信号を利用してユーザ装置５から到来する干渉信号による悪影響を防止又は低減することを可能とする。
【００３６】
例えば、所定の制御信号が、ユーザ装置５からの伝送路のチャネル推定を行うためパラメータを含んでいる場合には、第２基地局装置４は、取得したパラメータをマルチアンテナを用いた干渉除去技術に用いることよりユーザ装置５から干渉信号を除去することができる。例えば、所定の制御信号が、ユーザ装置５の上りリンク信号に割り当てた無線リソースの情報を含む場合、取得した情報に基づくスケジューリングを行うことにより、第２基地局装置４は、ユーザ装置５からの干渉信号の影響を防止又は低減することができる。
【００３７】
また本実施例によれば、第２基地局装置４は、ユーザ装置５を制御するための制御信号を第１基地局装置３がユーザ装置５へ送信する伝送チャネルから取得する。このため、基地局間通信インタフェース経由で制御情報を伝送する場合に発生する遅延の問題を回避することが可能となる。
【００３８】
すなわち、送信フレーム毎に変化するような変更頻度が高い制御信号であっても、ユーザ装置５が受信するのと同じタイミングで第２基地局装置４において受信することができる。したがって本実施例によれば、ユーザ装置５から送信される信号による干渉の影響を防止又は低減する処理のための時間的余裕を生むことが可能となる。
【００３９】
なお、第１セル８と第２セル９は、同程度の大きさのセルであってもよい。または、例えば一方がマクロセルで他方がフェムトセルであるように、両者のカバーエリアの大きさに差があってもよい。
【００４０】
例えば、第１セル８のカバーエリアが第２セル９のカバーエリアよりも大きい場合には、第１セル８及び第２セル９のセル境界に近いユーザ装置５から第２基地局装置４に到来する干渉信号による影響が大きくなる。本実施例によれば、このような場合にも第２基地局装置４が被る干渉信号の影響を防止又は低減することができる。
【００４１】
続いて、第１基地局装置３の他の実施例について説明する。図５は、第１基地局装置３の第２例を示す構成図である。第１基地局装置３は、先行して説明した他の実施例の構成要素と同様の構成要素を有しており、他の実施例の構成要素と同様の構成要素には同じ参照符号を付し、同一の機能については説明を省略する。第１基地局装置３は、無線受信部１６と、検出部１７を備える。
【００４２】
無線受信部１６は、第１セル８内のユーザ装置５から送信される信号を受信する。検出部１７は、第１セル８内のユーザ装置５のうち、第２基地局装置４へ与える干渉が所定の第１条件を満たすユーザ装置５を検出する。
【００４３】
第１条件が満足される否かを判定するために、様々な判定方法を採用することが考えられる。例えば、無線受信部１６は、ユーザ装置５において測定された各基地局装置からの受信電力強度を指示する信号を受信してもよい。例えばＬＴＥの場合、無線受信部１６は、ユーザ装置５からＲＳＲＰ（Reference Signal Received Power）報告値を受信してよい。検出部１７は、ユーザ装置５において測定された第２基地局装置４からの受信電力強度に応じて、第２基地局装置４へ与える干渉が所定の第１条件を満たすか否かを判定してよい。
【００４４】
例えば検出部１７は、第２基地局装置４からの受信電力強度が所定の閾値を超えるとき第１条件が満たされると判定してよい。第２基地局装置４からの受信電力強度が大きい場合には、ユーザ装置５から第２基地局装置４へ到達する干渉電波の強度も強いと考えられるからである。また、例えば検出部１７は、第１基地局装置３からの受信電力強度に対する第２基地局装置４からの受信電力強度の比が所定の閾値を超えるとき第１条件が満たされると判定してよい。
【００４５】
また例えば、検出部１７は、ユーザ装置５の位置情報と第２基地局装置４の位置情報に基づいて、第２基地局装置４へ与える干渉が所定の第１条件を満たすか否かを判定してもよい。
【００４６】
割当部１４は、検出部１７により検出されたユーザ装置５について生成された所定の制御装置を送信するチャネルに無線リソースを割り当てる。
【００４７】
本実施例によれば、第２基地局装置４へ大きな干渉を与えるユーザ装置５を検出して、このようなユーザ装置５から到来する干渉信号による悪影響を防止又は低減することが可能になる。
【００４８】
続いて、第２基地局装置４の他の実施例について説明する。図６は、第２基地局装置４の第２例を示す構成図である。なお第２基地局装置４は、先行して説明した他の実施例の構成要素と同様の構成要素を有しており、他の実施例の構成要素と同様の構成要素には同じ参照符号を付し、同一の機能については説明を省略する。また、本実施例の構成要素を後続の他の実施例と組み合わせてもよい。
【００４９】
第２基地局装置４は、下り信号生成部２５と、スケジューラ２６と、無線送信部２７と、アンテナ２８と、スイッチ（ＳＷ）２９及び３０を備える。下り信号生成部２５は、第２基地局装置４から、第２セル９内のユーザ装置へ送信される下りリンク信号を生成する。スケジューラ２６は、下りリンク信号を伝送するチャネルに割り当てる無線リソースを決定する。無線送信部２７は、アンテナ２８を介して、スケジューラ２６により割り当てられた無線リソース上で下りリンク信号を送信する。
【００５０】
スイッチ２９は、第２受信部２２で受信した信号のうち、第１受信部２１によって受信した無線リソース情報によって指定される無線リソース上の信号を制御信号検出部２３へ入力し、それ以外の信号の入力を停止する。例えば、制御信号が送信される期間によって無線リソースの範囲が指定される場合には、スイッチ２９は、制御信号が送信される期間において第２受信部２２から制御信号検出部２３へ受信信号の入力を許し、それ以外の期間では禁止する。例えば、制御信号が送信されるキャリア周波数によって無線リソースの範囲が指定される場合には、スイッチ２９は、制御信号が送信されるキャリアについて第２受信部２２から制御信号検出部２３へ受信信号の入力を許し、それ以外のキャリアの信号を遮断する。
【００５１】
スイッチ３０は、第１受信部２１によって受信した無線リソース情報によって指定される無線リソース上における下りリンク信号の送信を停止する。例えば、制御信号が送信される期間によって無線リソースの範囲が指定される場合には、スイッチ３０は、制御信号が送信される期間では下りリンク信号の送信を停止し、それ以外の期間で下りリンク信号の送信を許可する。例えば、制御信号が送信されるキャリア周波数によって無線リソースの範囲が指定される場合には、スイッチ３０は、制御信号が送信されるキャリアによる下りリンク信号の送信を停止し、それ以外のキャリアで下りリンク信号の送信を許可する。
【００５２】
図７は、第１基地局装置３及び第２基地局装置４における処理の第２例の説明図である。なお、他の実施態様においては、下記のオペレーションＡＡ〜ＡＤの各オペレーションはステップであってもよい。またオペレーションＡＡ〜ＡＣは、図４を参照して説明した処理と同様である。
【００５３】
オペレーションＡＤにおいて第２基地局装置４のスイッチ３０は、第１受信部２１によって受信した無線リソース情報によって指定される無線リソース上における下りリンク信号の送信を停止する。
【００５４】
本実施例によれば、ユーザ装置５への所定の制御信号が送信される期間において第２基地局装置４からの無線信号の送信が停止されるため、第２基地局装置４からの送信信号と所定の制御信号との間の干渉が防止される。このため、第２基地局装置４は、より確実にユーザ装置５への所定の制御信号を受信できるようになる。
【００５５】
本実施例によれば第２基地局装置４は、第１基地局装置３から送信される無線リソース情報によって指定される無線リソース上で下りリンク信号を送信することができない。したがって、第１基地局装置３の割当部１４は、ユーザ装置５への所定の制御信号を送信するチャネルに割り当てる無線リソースの範囲を制限することにより、第２基地局装置４の下りリンク信号のスループットの低下を低減することが好ましい。
【００５６】
すなわち割当部１４は、ユーザ装置５への所定の制御信号を送信する制御チャネルに割り当てる無線リソースの範囲を、この制御チャネルに割当可能な範囲として予め指定されている無線リソースの範囲の一部分に制限する。このような割当可能な範囲は、技術規格によって指定された範囲であってよい。以下、所定の制御信号を送信する制御チャネルに割り当てる無線リソースの限定の方法を例示する。
【００５７】
図８は、第１基地局装置３及び第２基地局装置４から送信される下りリンクの送信信号内の制御チャネルの配置の第１例を示す図である。
【００５８】
参照符号１００は第１基地局装置３から送信される送信信号を示し、参照符号２００は第２基地局装置４から送信される送信信号を示す。１つのマス目は１つのリソースブロックを示し、１列分のマス目が１シンボル長分の無線リソースを示す。斜線によりハッチングされた領域及び濃い梨地模様でハッチングされた領域は、制御信号を送信する無線リソースを割当可能な範囲として予め指定された範囲を形成する。濃い梨地模様でハッチングされた領域はユーザ装置５への所定の制御信号を送信する無線リソースとして割り当てられた範囲を示す。空白の領域は、第２基地局装置４による下りリンク信号の送信が停止される範囲を示す。薄い梨地模様でハッチングされた領域はデータチャネルに割り当てられた無線リソースの範囲を示す。図９及び図１０においても同様である。
【００５９】
第１基地局装置３から送信される信号１００において、無線リソース１０１、１０２及び１０３は、制御チャネル、ユーザ装置５への所定の制御信号を伝送する制御チャネル及びデータチャネルに割り当てられている。例えば、無線リソース１０２は、１シンボル長を単位として制限されてよい。図示の例では、３列のシンボルのうちの１列分のシンボルに無線リソース１０２の範囲が限定されている。
【００６０】
第２基地局装置４から送信される信号２００において、無線リソース２０１及び２０３は、それぞれ制御チャネル及びデータチャネルに割り当てられている。また、無線リソース１０２と同じ範囲２０２では、第２基地局装置４は下りリンク信号を送信しない。
【００６１】
図９は、第１基地局装置３及び第２基地局装置４から送信される下りリンクの送信信号内の制御チャネルの配置の第２例を示す図である。第１基地局装置３から送信される信号１００において、無線リソース１０１及び１０３がユーザ装置５への所定の制御信号を伝送する制御チャネル及びそれ以外の制御チャネルに割り当てられている。また無線リソース１０２及び１０４は、データチャネルに割り当てられている。
【００６２】
例えば、無線リソース１０１はサブフレームを単位として制限されてよい。すなわち、割当部１４は、あるサブフレームにはユーザ装置５への所定の制御信号を含め、他のサブフレームには含めないことによって無線リソース１０１の範囲を限定してよい。図示の例では、サブフレームＡはユーザ装置５への所定の制御信号を含み、サブフレームＢはユーザ装置５への所定の制御信号を含まない。
【００６３】
第２基地局装置４から送信される信号２００において、無線リソース２０１及び２０４は、それぞれ制御チャネルに割り当てられている。また無線リソース２０３及び２０５は、それぞれデータチャネルに割り当てられている。また無線リソース１０１と同じ範囲２０２では、第２基地局装置４は下りリンク信号を送信しない。
【００６４】
図１０は、第１基地局装置３及び第２基地局装置４から送信される下りリンクの送信信号内の制御チャネルの配置の第３例を示す図である。第１基地局装置３から送信される信号１００において、無線リソース１０２はユーザ装置５への所定の制御信号を伝送する制御チャネルに割り当てられている。無線リソース１０１及び１０４はそれ以外の制御チャネルに割り当てられている。無線リソース１０３及び１０５はデータチャネルに割り当てられている。例えば、無線リソース１０１はリソースブロックを単位として制限されてよい。
【００６５】
第２基地局装置４から送信される信号２００において、無線リソース２０１及び２０５は、それぞれ制御チャネルに割り当てられている。また無線リソース２０２、２０４及び２０６は、それぞれデータチャネルに割り当てられている。また、無線リソース１０２と同じ範囲２０３では、第２基地局装置４は下りリンク信号を送信しない。
【００６６】
本実施例によれば、第２基地局装置４が下りリンク信号の送信を停止する期間が制限されるので、第２基地局装置４の下りリンク信号のスループットの低下が低減される。
【００６７】
続いて、第２基地局装置４の他の実施例について説明する。図１１は、第２基地局装置４の第３例を示す構成図である。なお第２基地局装置４は、先行して説明した他の実施例の構成要素と同様の構成要素を有しており、他の実施例の構成要素と同様の構成要素には同じ参照符号を付し、同一の機能については説明を省略する。また、本実施例の構成要素を後続の他の実施例と組み合わせてもよい。
【００６８】
第２基地局装置４は、第２セル９内のユーザ装置から送信された上りリンク信号を検出する上り信号検出部３１を備えてよい。例えばＬＴＥの場合には、上り信号検出部３１はＰＵＳＣＨ（Physical Uplink Shared Channel）を検出してよい。上り信号検出部３１は、チャネル推定部３２と抑圧部３３を備える。
【００６９】
チャネル推定部３２は、第２セル９内のユーザ装置の上りリンク信号が伝送される伝送路のチャネル推定を行う。またチャネル推定部３２は、ユーザ装置５の上りリンク信号が伝送される伝送路のチャネル推定を行う。ユーザ装置５の上りリンク信号が伝送される伝送路のチャネル推定を行う場合、チャネル推定部３２は、制御信号検出部２３が検出した所定の制御情報に含まれるパラメータを使用する。
【００７０】
チャネル推定に使用するパラメータは、例えば、チャネル推定部３２は、ユーザ装置５から上りリンク信号が送信されるタイミングを含む無線リソース情報と、チャネル推定に使用されるリファレンス信号を指示する情報であってよい。リファレンス信号を指示する情報は、例えばリファレンス信号系列を指示する情報であってよい。信号系列を指示する情報は、例えばＣＡＺＡＣ(Constant Amplitude. Zero Auto-Correlation)系列の番号であってよい。リファレンス信号を指示する情報として他の情報を使用してよく、上記の例に限定されるものではない。例えばリファレンス信号系列として、Zadoff-Chu ＣＡＺＡＣ等の他の信号系列を使用してもよい。
【００７１】
抑圧部３３は、チャネル推定部３２によるチャネル推定の結果に基づいて、第２セル９内のユーザ装置の上りリンク信号に対する、ユーザ装置５の上りリンク信号による干渉を抑圧する。
【００７２】
図１２は、図１１に示す抑圧部３３の第１例を示す構成図である。抑圧部３３は、ＭＭＳＥ（Minimum Mean Squared Error）法による受信信号間の干渉抑圧を行う。抑圧部３３は、ＭＭＳＥ処理部３４を備える。ＭＭＳＥ処理部３４は、チャネル推定部３２がリファレンス信号を用いて推定したチャネル推定値から、チャネル行列を生成する。
【００７３】
ＭＭＳＥ処理部３４は、各ユーザ装置毎に他のユーザ装置からの干渉を抑圧する重み付け係数をチャネル行列から決定し、受信アンテナ２０として設けられたマルチアンテナ２０−１〜２０−ｎの受信信号に乗算することにより、各ユーザ装置毎にＭＭＳＥ等化による干渉抑圧を行う。等化後の信号は復号化部３５によって復号化される。
【００７４】
図１３は、図１１に示す抑圧部３３の第２例を示す構成図である。抑圧部３３は、ＭＭＳＥ−ＳＩＣ（Successive Interference Canceller）法による受信信号間の干渉抑圧を行う。抑圧部３３は、第１ＭＭＳＥ処理部３６と、復号化部３７と、レプリカ生成部３８と、減算器３９−１〜３９−ｎと、第２ＭＭＳＥ処理部４０を備える。
【００７５】
第１ＭＭＳＥ処理部３６は、上記のＭＭＳＥ処理部３４と同様に各ユーザ装置毎にＭＭＳＥ等化による干渉抑圧を行う。復号化部３７は、等化後の信号を復号化することによってユーザ装置５から送信信号を再生する。レプリカ生成部３８は、再生された信号とチャネル推定値に基づいてユーザ装置５の送信信号の干渉レプリカを生成する。減算器３９−１〜３９−ｎは、受信信号から干渉レプリカ信号を減算することにより、受信信号からユーザ装置５からの干渉を除去する。第２ＭＭＳＥ処理部４０は、ユーザ装置５からの干渉が除去された受信信号に対してＭＭＳＥ等化を行う。
【００７６】
図１４は、第１基地局装置３及び第２基地局装置４における処理の第３例の説明図である。なお他の実施態様においては、下記のオペレーションＢＡ〜ＢＨの各オペレーションはステップであってもよい。
【００７７】
オペレーションＢＡにおいてユーザ装置５は、第２基地局装置４から送信される受信電力を測定する。オペレーションＢＢにおいてユーザ装置５は、測定した受信電力強度を第１基地局装置３へ通知する。第１基地局装置３の無線受信部１６は、ユーザ装置５において測定された各基地局装置からの受信電力強度を指示する信号を受信する。
【００７８】
オペレーションＢＣにおいて検出部１７は、ユーザ装置５において測定された受信電力強度に応じて、第２基地局装置４へ与える干渉が所定の第１条件を満たすか否かを判定する。所定の第１条件が満たされるとき、検出部１７は、ユーザ装置５を第２基地局装置４へ与える干渉が大きな「干渉ＵＥ」として検出する。
【００７９】
オペレーションＢＤにおいて割当部１４は、ユーザ装置５について生成された所定の制御装置を送信するチャネルに無線リソースを割り当てる。オペレーションＢＥにおいて第１基地局装置３の第１送信部１５は、無線リソース情報を第２基地局装置４へ送信する。第２基地局装置４の第１受信部２１は無線リソース情報を受信する。
【００８０】
オペレーションＢＦにおいて第１基地局装置３の無線送信部１１は、ユーザ装置５について生成された所定の制御信号を、割当部１４が割り当てた無線リソース上で送信する。第２基地局装置４の制御信号検出部２３は、第１受信部２１が受信した無線リソース情報が示す無線リソース上で伝送された所定の制御情報を検出する。
【００８１】
オペレーションＢＧにおいてユーザ装置５は、上りリンク信号を送信する。オペレーションＢＨにおいて第２基地局装置４のチャネル推定部３２は、ユーザ装置５について生成された所定の制御信号に基づいてユーザ装置５から上りリンク信号が伝送される伝送路のチャネル推定を行う。第２基地局装置４が第２セル９内のユーザ装置から送信された上りリンク信号を受信するとき、抑圧部３３は、チャネル推定の結果に基づいて、ユーザ装置５から送信された上りリンク信号の干渉抑圧処理を行う。
【００８２】
本実施例によれば、第２基地局装置４は、隣接セル８内のユーザ装置５から上りリンク信号が伝送される伝送路のチャネル推定を行い、受信マルチアンテナを用いた干渉抑圧受信を行うことができる。これによって、ユーザ装置５から到来する上りリンク信号に干渉により受信特性が被る劣化を防止又は低減することが可能となる。
【００８３】
続いて、第２基地局装置４の他の実施例について説明する。本実施例において第２基地局装置４は、隣接セル８内のユーザ装置５へ送信される所定の制御情報に基づいて、第２セル９内の通信のスケジューリングを行う。図１５は、第２基地局装置４の第４例を示す構成図である。なお第２基地局装置４は、先行して説明した他の実施例の構成要素と同様の構成要素を有しており、他の実施例の構成要素と同様の構成要素には同じ参照符号を付し、同一の機能については説明を省略する。また、本実施例の構成要素を後続の他の実施例と組み合わせてもよい。
【００８４】
第２基地局装置４は、受信品質判定部４１と、制御信号生成部４２と、上り信号検出部４３を備える。受信品質判定部４１は、第２基地局装置４と第２セル９内のユーザ装置との間の通信の受信品質を判定する。判定される受信品質は、第２基地局装置４において上り信号を受信する受信品質でもよい。
【００８５】
第２基地局装置４において上り信号を受信する受信品質を判定する場合には、受信品質判定部４１は、第２基地局装置４において上り信号を受信する受信品質を測定してよい。ユーザ装置において下り信号を受信する受信品質を判定する場合には、受信品質判定部４１は、既知のリファレンス信号を受信して受信品質を測定してよい。
【００８６】
制御信号生成部４２は、第２セル９内のユーザ装置による上りリンク信号の送信を制御するための所定の制御信号を生成する。上り信号検出部４３は、第２セル９内のユーザ装置から送信された上りリンク信号を検出する。
【００８７】
スケジューラ２６は、第２セル９内のユーザ装置との間の上りリンク信号の通信の無線リソース、変調方式、符号化率といったパラメータを決定する。無線送信部２７及び第２受信部２２は、スケジューラ２６によって決定されたパラメータに従って、第２セル９内のユーザ装置との間で無線信号を送受信する。また、制御信号生成部４２は、スケジューラ２６によって決定されたパラメータに従って第２セル９内のユーザ装置を制御する制御信号を生成する。
【００８８】
スケジューラ２６は、制御信号検出部２３によって検出された、ユーザ装置５へ送信された所定の制御信号を入力する。所定の制御信号は、ユーザ装置５が上りリンク信号を送信するチャネルに割り当てられた無線リソースを指定する情報であってよい。スケジューラ２６は、この無線リソースを、第２セル９内のユーザ装置のうち第２条件を満たすものに割り当てる。この第２条件は、例えば干渉電波に対する耐性が所定の条件を満たすか否かという条件であってよい。
【００８９】
干渉電波に対する耐性が所定の条件を満たすか否かを判定するために、例えば、判断対象のユーザ装置について受信品質判定部４１が判定した受信品質が、所定の条件を満たすか否かを判定してよい。例えば、判定された受信品質が所定の閾値よりも高い場合に、干渉電波に対する耐性が所定の条件を満しており上記第２条件を満足する、と判定してよい。また、判定された受信品質が、第２セル９内の全ユーザ装置の平均受信品質よりも所定閾値以上大きいとき、干渉電波に対する耐性が所定の条件を満すと判定してよい。受信品質を使用する判定条件としては、他にも様々な条件を採用可能である。
【００９０】
また、干渉電波に対する耐性が所定の条件を満たすか否かを判定するために、例えば、判断対象のユーザ装置との間の通信に指定されるサービス品質（ＱｏＳ：Quality of Service）が所定の条件を満たすか否かを判定してよい。例えば、あるユーザ装置について指定されたＱｏＳが所定の閾値よりも低い場合に、干渉電波に対する耐性が所定の条件を満たすと判定してよい。ＱｏＳを使用する判定条件としては、他にも様々な条件を採用可能である。
【００９１】
上記第２条件は、他にも様々な条件によって判定することができ、上記の例に限定されない。
【００９２】
図１６は、第１基地局装置３及び第２基地局装置４における処理の第４例の説明図である。なお他の実施態様においては、下記のオペレーションＣＡ〜ＣＪの各オペレーションはステップであってもよい。
【００９３】
オペレーションＣＡ〜ＣＦの処理は、図１４を参照して説明したオペレーションＢＡ〜ＢＦと同様であってよい。オペレーションＣＧにおいて、第２セル９内のユーザ装置は第２基地局装置４へ上りリンク信号を送信する。オペレーションＣＨにおいて第２基地局装置４の受信品質判定部４１は、ユーザ装置から送信された上りリンク信号の受信品質を測定する。なお、オペレーションＣＧ及びＣＨは、後述するオペレーションＣＩにおけるスケジューリング処理を行うまでであればいつ実行されてもよい。
【００９４】
オペレーションＣＩにおいてスケジューラ２６は、第２セル９内のユーザ装置との間の上りリンク信号の通信の無線リソース、変調方式、符号化率といったパラメータを決定するスケジューリング処理を実行する。スケジューラ２６は、制御信号検出部２３によって検出された所定の制御信号によって指定される無線リソースを、第２セル９内のユーザ装置のうち第２条件を満たすものに割り当てる。
【００９５】
オペレーションＣＪにおいて、制御信号生成部４２は、スケジューラ２６によって決定されたパラメータに従って第２セル９内のユーザ装置を制御する制御信号を生成する。制御信号は第２セル９内のユーザ装置に送信される。
【００９６】
本実施例によれば、第２基地局装置４は、隣接セル８内のユーザ装置５から上りリンク信号が伝送されることが予想される無線リソースの情報に基づいて、第２セル９内の通信のスケジューリングを行うことができる。このため、隣接セル８内のユーザ装置５からの干渉電波に対して耐性の強いユーザ装置にこの無線リソースを割り当てるスケジューリング処理が可能になる。その結果、干渉電波に対する耐性の弱いユーザ装置に対して干渉が生じ受信品質が大きく劣化するといった不都合を回避することが可能となる。
【００９７】
続いて、第２基地局装置４の他の実施例について説明する。本実施例において第２基地局装置４は、隣接セル８内のユーザ装置５へ送信される所定の制御情報に基づいて、第２セル９内の通信のための適応変調符号化（ＡＭＣ：Adaptive Modulation and Coding）処理を実行する。
【００９８】
図１７は、第２基地局装置４の第５例を示す構成図である。なお第２基地局装置４は、先行して説明した他の実施例の構成要素と同様の構成要素を有しており、他の実施例の構成要素と同様の構成要素には同じ参照符号を付し、同一の機能については説明を省略する。また、本実施例の構成要素を後続の他の実施例と組み合わせてもよい。
【００９９】
第２基地局装置４は、予測部４４と、ＡＭＣ処理部４５を備える。予測部４４は、制御信号検出部２３によって検出された、ユーザ装置５へ送信された所定の制御信号を入力する。所定の制御信号は、ユーザ装置５が上りリンク信号を送信するチャネルに割り当てられた無線リソースを指定する情報であってよい。
【０１００】
予測部４４は、所定の制御信号によって指定される無線リソースにおける受信品質を予測する。例えば、予測部４４は、現在の受信品質から固定の予測変動量を差し引くことにより受信品質を予測してよい。また例えば予測部４４は、所定の制御信号によって指定される無線リソースにおいて生じた受信品質の変動量の履歴を記憶してもよい。そして予測部４４は、記憶された変動量を統計処理することによって算出した予測変動量を現在の受信品質から差し引いて受信品質を予測してもよい。受信品質の予測方法としてはその他にも様々な方法が使用可能である。
【０１０１】
ＡＭＣ処理部４５は、予測された受信品質に基づいて、所定の制御信号により指定された無線リソースが割り当てられるユーザ装置のための適応変調符号化処理を行う。すなわち、ＡＭＣ処理部４５は、予測された受信品質に基づいて、所定の制御信号により指定された無線リソースが割り当てられるユーザ装置との間の上りリンクの通信の変調方式、符号化率といったパラメータを決定する。
【０１０２】
無線送信部２７は、ＡＭＣ処理部４５によって決定されたパラメータを指定するＡＭＣ指示信号を第２セル９内のユーザ装置へ送信する。また、第２受信部２２は、ＡＭＣ処理部４５によって決定されたパラメータに従って、第２セル９内のユーザ装置から送信される上りリンク信号を受信する。
【０１０３】
図１８は、第１基地局装置３及び第２基地局装置４における処理の第５例の説明図である。なお他の実施態様においては、下記のオペレーションＤＡ〜ＤＬの各オペレーションはステップであってもよい。
【０１０４】
オペレーションＤＡ〜ＤＦの処理は、図１４を参照して説明したオペレーションＢＡ〜ＢＦと同様であってよい。オペレーションＤＧにおいて、第２セル９内のユーザ装置は第２基地局装置４へ受信電力測定用のリファレンス信号を送信する。オペレーションＤＨにおいて予測部４４は、測定された受信電力に基づき現在の受信品質を決定する。なお、オペレーションＤＧ及びＤＨは、後述するオペレーションＤＩにおける適応変調符号化処理を行うまでであればいつ実行されてもよい。
【０１０５】
オペレーションＤＩにおいて予測部４４は、ユーザ装置５へ送信された所定の制御信号を入力する。予測部４４は、現在の受信品質から予定される変動量を差し引くことにより、所定の制御信号によって指定される無線リソースにおける受信品質を予測する。ＡＭＣ処理部４５は、予測された受信品質に基づいて、所定の制御信号により指定された無線リソースが割り当てられるユーザ装置との通信のための適応変調符号化処理を行う。
【０１０６】
オペレーションＤＪにおいて無線送信部２７は、ＡＭＣ指示信号を第２セル９内のユーザ装置へ送信する。オペレーションＤＫにおいてユーザ装置５が上りリンク信号を送信するとき、第２受信部２２は、ＡＭＣ処理部４５によって決定されたパラメータに従って、第２セル９内のユーザ装置から送信される上りリンク信号を受信する。
【０１０７】
オペレーションＤＬにおいて予測部４４は、ユーザ装置５による干渉により生じた実際の変動量を記憶し、時間の受信品質の予測のために使用する。
【０１０８】
本実施例によれば、第２基地局装置４は、隣接セル８内のユーザ装置５から上りリンク信号が伝送されることが予想される無線リソースの情報に基づいて、この無線リソースが割り当てられた通信の適応変調符号化処理を行うことが可能となる。このため、隣接セル８内のユーザ装置５から干渉に対して、干渉に強い変調符号化を行うことが可能となる。
【０１０９】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０１１０】
１    通信システム
３    第１基地局装置
４    第２基地局装置
５    ユーザ装置
１１    無線送信部
１２    スケジューラ
１３    制御信号生成部
１４    割当部
１５    第１送信部
【図１】
2012066669.tif 000003
【図２】
2012066669.tif 000004
【図３】
2012066669.tif 000005
【図４】
2012066669.tif 000006
【図５】
2012066669.tif 000007
【図６】
2012066669.tif 000008
【図７】
2012066669.tif 000009
【図８】
2012066669.tif 000010
【図９】
2012066669.tif 000011
【図１０】
2012066669.tif 000012
【図１１】
2012066669.tif 000013
【図１２】
2012066669.tif 000014
【図１３】
2012066669.tif 000015
【図１４】
2012066669.tif 000016
【図１５】
2012066669.tif 000017
【図１６】
2012066669.tif 000018
【図１７】
2012066669.tif 000019
【図１８】
2012066669.tif 000020
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
第１セルを形成する第１の基地局装置であって、
移動局装置と前記第１の基地局装置との間の制御チャネルのために無線リソースを割り当てる割当部と、
前記制御チャネルのために割り当てた無線リソースを示す無線リソース情報を、前記第１セルとは異なる第２セルを形成する第２の基地局装置へ送信する第１送信部と、
を備える第１の基地局装置。
【請求項２】
前記第２セルは、前記第１セルと隣接するセル、又は、前記第１セルとその通信エリアの少なくとも一部を共有するセルである、請求項１に記載の基地局装置。
【請求項３】
前記第２の基地局装置へ与える干渉が第１条件を満たす移動局装置を検出する検出部を備え、
前記第１送信部は、検出された前記移動局装置との間の制御チャネルのために割り当てられた無線リソースを示す無線リソース情報を前記第２の基地局装置へ送信する、請求項１に記載の基地局装置。
【請求項４】
前記割当部は、前記移動局装置との間の制御チャネルのために割り当てられた無線リソースを、指定された割り当て可能範囲の一部に制限する請求項１〜３のいずれか一項に記載の基地局装置。
【請求項５】
第２セルを形成する第２の基地局装置であって、
前記第２セルとは異なる第１セルを形成する第１の基地局装置から無線リソース情報を受信する第１受信部と、
前記無線リソース情報が示す無線リソースが割り当てられた制御チャネルを介して前記第１の基地局装置から移動局装置へ送信される制御情報を受信する第２受信部と、
を備える第２の基地局装置。
【請求項６】
移動局装置への無線信号を送信する第２送信部と、
前記無線リソース情報が示す無線リソースにおける前記第２送信部による無線信号の送信を停止する停止部と、
をさらに備えることを特徴とする請求項５に記載の基地局装置。
【請求項７】
前記制御情報に基づいて前記移動局装置から送信される無線信号成分を抑圧する抑圧部を備える請求項５又は６に記載の基地局装置。
【請求項８】
前記制御情報に基づいて前記移動局装置と前記第２の基地局装置との間の伝送路のチャネル推定を行うチャネル推定部をさらに備え、
前記抑圧部は、前記チャネル推定に基づき前記無線信号成分を抑圧する請求項７に記載の基地局装置。
【請求項９】
前記制御情報は、前記移動局装置の上りリンク信号の送信に割り当てられる無線リソースを指定し、
前記第２の基地局装置は、
前記第２の基地局装置と通信を行う移動局装置のうち第２条件を満たすものに、前記制御情報が指定する無線リソースを割り当てるスケジューラを備える請求項５〜８のいずれか一項に記載の基地局装置。
【請求項１０】
前記制御情報は、前記移動局装置の上りリンク信号の送信に割り当てられる無線リソースを指定し、
前記第２の基地局装置は、
前記制御信号が指定する無線リソースにおける通信品質を予測する予測部と、
予測された通信品質に応じて、前記制御信号が指定する無線リソースにおける適応変調符号化を制御する適応変調符号化部と、
を備える請求項５〜８のいずれか一項に記載の基地局装置。
【請求項１１】
第１セルを形成する第１の基地局装置と、前記第１セルとは異なる第２セルを形成する第２の基地局装置とを有する通信システムであって、
前記第１の基地局装置は、
移動局装置と前記第１の基地局装置との間の制御チャネルのために無線リソースを割り当てる割当部と、
前記制御チャネルのために割り当てた無線リソースを示す無線リソース情報を第２の基地局装置へ送信する第１送信部と、を備え、
前記第２の基地局装置は、
前記無線リソース情報を受信する第１受信部と、
前記無線リソース情報が示す無線リソースが割り当てられた制御チャネルを介して前記第１の基地局装置から前記移動局装置へ送信される制御情報を受信する第２受信部と、を備えることを特徴とする通信システム。
【請求項１２】
第１セルを形成する第１の基地局装置において使用される通信方法であって、
移動局装置と前記第１の基地局装置との間の制御チャネルのために無線リソースを割り当て、
前記制御チャネルのために割り当てた無線リソースを示す無線リソース情報を、前記第１セルとは異なる第２セルを形成する第２の基地局装置へ送信する、
ことを特徴とする通信方法。
【請求項１３】
第２セルを形成する第２の基地局装置において使用される通信方法であって、
前記第２セルとは異なる第１セルを形成する第１の基地局装置から無線リソース情報を受信し、
前記無線リソース情報が示す無線リソースが割り当てられた制御チャネルを介して前記第１の基地局装置から移動局装置へ送信される制御情報を受信する、
ことを特徴とする通信方法。
【国際調査報告】
2012066669.tif 000021
2012066669.tif 000022
2012066669.tif 000023
2012066669.tif 000024